(57)【特許請求の範囲】
【請求項１】
外部からの煙の侵入を許容するとともに外光の入射を防止するラビリンス壁によって周りが囲まれた煙感知室と、それぞれの光軸が所定の角度で交差するようにして煙感知室にそれぞれ配置された発光部及び受光部とを備え、上記ラビリンス壁は中間部が屈曲した断面略く字状の複数の隔壁からなり、それぞれの隔壁を、中間部の屈曲部位が隣接する隔壁の両端部の間に入り込むようにして配置するとともに、受光部の光軸方向の前方に位置する２つの隔壁は中間部の屈曲部位を互いに対向させて配置し、両隔壁の屈曲部位を互いに連結して成ることを特徴とする火災感知器。
【請求項２】
受光部の光軸方向の前方に位置するラビリンス壁に、断面略く字状であって開口側を受光部に向けて配置され、入射した光が受光部側に出射するのを防止する光トラップ部を設けたことを特徴とする請求項１記載の火災感知器。
【請求項３】
上記隔壁は両側片が屈曲部位を介して連結されて成り、上記２つの隔壁の内、発光部に近い側の隔壁における内側の側片に、他方の隔壁に向かって突出する突片を形成し、上記２つの隔壁の連結部位付近に発光部及び受光部から臨んだ状態で上記突片によって遮蔽される凹所を設けたことを特徴とする請求項１記載の火災感知器。
【請求項４】
上記光トラップ部の受光部側の面に、入射した光を光トラップ部の奧側へ反射する反射面を複数形成したことを特徴とする請求項２記載の火災感知器。
【請求項５】
受光部の光軸方向の前方にあるラビリンス壁の部位と発光部との間に遮光壁を設けたことを特徴とする請求項１記載の火災感知器。
【請求項６】
上記遮光壁は、該遮光壁の発光部との対向面が、受光部が光を受光する受光領域の外側に位置するようにして煙感知室に配置されたことを特徴とする請求項５記載の火災感知器。
【発明の詳細な説明】
【０００１】
【発明の属する技術分野】
本発明は、火災を感知する火災感知器に関するものである。
【０００２】
【従来の技術】
火災感知器には熱に反応する熱感知型のものと、煙に反応する煙感知型のものとがあり、煙感知型の火災感知器としては、図２１に示すように、煙感知室Ｓ内に発光部３１と受光部３２とを、それぞれの光軸Ｌ１，Ｌ２が所定の角度で交差するようにして配置し、発光部３１から煙感知室Ｓ内に光を照射させ、煙感知室Ｓ内に侵入した煙の粒子によって散乱された発光部３１の光を受光部３２で検知する所謂光電式のものが従来より提供されている（特開平９−２３１４８５号公報参照）。
【０００３】
この火災感知器では、煙感知室Ｓの周囲に断面略く字状の複数の隔壁９ａを所定の間隔をおいて円周上に配置して、ラビリンス壁９を形成しており、隣接する隔壁９ａの間にできる煙導入路の一端部を外部に連通させるとともに、他端部を煙感知室Ｓに連通させることによって、外部から煙感知室Ｓ内部への煙の侵入を許容するとともに、外光が侵入するのを防止している。
【０００４】
【発明が解決しようとする課題】
上述の火災感知器では、発光部３１として発光ダイオードを用い、受光部３２としてフォトダイオードを用いているが、一般的に発光ダイオードの出力がｍＷオーダーの出力であるのに対して、受光部３２の受光信号がｐＡオーダーの非常に微弱な電流信号になるため、発光部３１からの光がラビリンス壁９の隔壁９ａなどにあたって発生する迷光の方が、煙の粒子による散乱光よりも遙かに大きな値になることがあり、このような迷光による誤動作を防止するために、迷光の発生を低減することが非常に重要であった。
【０００５】
そこで、発光部３１の光が受光部３２に直接入らないように、煙感知室Ｓにおける発光部３１と受光部３２との間の部位に隔壁３３を設けて、迷光の低減を図っているが、より高い感度を要求される場合には、煙感知室Ｓに対して発光部３１と対向する隔壁９ａ、もしくは受光部３２と反対側に位置する隔壁９ａのいずれかで反射された光、もしくは別の部位で反射されて同じ光路で入射する迷光が受光部３２に入射して、誤動作を招く虞があり、このような反射光が受光部３２に入射するのを防止する必要があった。
【０００６】
本発明は上記問題点に鑑みて為されたものであり、その目的とするところは、迷光の影響を低減した光電式の煙感知型の火災感知器を提供することにある。
【０００７】
【課題を解決するための手段】
上記目的を達成するために、請求項１の発明では、外部からの煙の侵入を許容するとともに外光の入射を防止するラビリンス壁によって周りが囲まれた煙感知室と、それぞれの光軸が所定の角度で交差するようにして煙感知室にそれぞれ配置された発光部及び受光部とを備え、上記ラビリンス壁は中間部が屈曲した断面略く字状の複数の隔壁からなり、それぞれの隔壁を、中間部の屈曲部位が隣接する隔壁の両端部の間に入り込むようにして配置するとともに、受光部の光軸方向の前方に位置する２つの隔壁は中間部の屈曲部位を互いに対向させて配置し、両隔壁の屈曲部位を互いに連結して成ることを特徴とし、受光部に対して光軸方向の前方に位置する２つの隔壁は中間部の屈曲部位を互いに対向させて連結しており、２つの隔壁の間の隙間を無くしているので、２つの隔壁の間にできる隙間を通って受光部に外光が入射することはなく、外光による誤動作を防止できる。
【０００８】
請求項２の発明では、請求項１の発明において、受光部の光軸方向の前方に位置するラビリンス壁に、断面略く字状であって開口側を受光部に向けて配置され、入射した光が受光部側に出射するのを防止する光トラップ部を設けたことを特徴とし、請求項３の発明の作用に加え、受光部に対して光軸方向の前方に位置するラビリンス壁に光トラップ部を設けていない場合は、受光部の前方にあるラビリンス壁で反射された光が受光部に入射する虞があるが、受光部の前方にあるラビリンス壁に光トラップ部を設けているので、受光部の前方にあるラビリンス壁で反射された光が受光部に入射することはなく、迷光による誤動作をさらに防止できる。
【０００９】
請求項３の発明では、請求項１の発明において、上記隔壁は両側片が屈曲部位を介して連結されて成り、上記２つの隔壁の内、発光部に近い側の隔壁における内側の側片に、他方の隔壁に向かって突出する突片を形成し、上記２つの隔壁の連結部位付近に発光部及び受光部から臨んだ状態で上記突片によって遮蔽される凹所を設けたことを特徴とし、請求項３の発明の作用に加え、２つの隔壁の連結部位付近に突片によって遮蔽される凹所を形成しているので、発光部からの光が２つの隔壁の連結部位付近で反射されて、発光部又は受光部側に戻ることはなく、余計な反射光が発生するのを抑制できる。
【００１０】
請求項４の発明では、請求項２の発明において、上記光トラップ部の受光部側の面に、入射した光を光トラップ部の奧側へ反射する反射面を複数形成したことを特徴とし、光トラップ部の形状が断面略く字状になっているので、光トラップ部に対して斜めから入射する光については一部を外側に反射してしまう虞もあるが、光トラップ部の受光部側の面に入射した光を光トラップ部の奧側へ反射する反射面を複数形成しているので、光トラップ部に対して斜めに入射した光も確実にトラップでき、光をトラップする効果を高めることができる。
【００１１】
請求項５の発明では、請求項１の発明において、受光部の光軸方向の前方にあるラビリンス壁の部位と発光部との間に遮光壁を設けたことを特徴とし、遮光壁を、受光部の光軸方向の前方あるラビリンス壁の部位と投光部との間に配置しているので、発光部から照射された光がラビリンス壁で反射されて受光部に入射するのを防止でき、受光部に対して光軸方向の前方に位置するラビリンス壁で反射された迷光による影響を無くすことができる。
【００１２】
請求項６の発明では、請求項５の発明において、上記遮光壁は、該遮光壁の発光部との対向面が、受光部が光を受光する受光領域の外側に位置するようにして煙感知室に配置されたことを特徴とし、請求項１の発明の作用に加え、遮光壁の発光部との対向面は受光領域の外側に位置しているので、発光部からの光が遮光壁に当たって受光部に入射するのを低減でき、遮光壁に発光部からの光が当たることによって発生する迷光の影響を無くすことができる。
【００１３】
【発明の実施の形態】
本発明の実施の形態を図１乃至図２０を参照して説明する。本実施形態の火災感知器は煙を感知する煙感知機能と、熱を感知する熱感知機能の両方を備えた複合型のものであり、図５乃至図７に示すように天井面などの造営面に取着されるボディ１と、発光ダイオードＬＥＤやフォトダイオードＰＤや後述する煙検知回路の回路部品が実装される回路基板２と、外部からの煙の侵入を許容するとともに外光の入射を防止するラビリンス壁９によって周りが囲まれた水平断面が略円形の煙感知室Ｓを具備し、煙感知室Ｓ内に光学系の部品が取着されるとともに、発光ダイオードＬＥＤ及びフォトダイオードＰＤを光学系の部品と対向させた状態で回路基板２が取り付けられる光学基台３と、光学基台３に設けた煙感知室Ｓの内部に虫などが侵入するのを防止する防虫カバー４と、保護カバー５とで構成される。
【００１４】
ボディ１は略円板状の主部１ａと、主部１ａの外周縁から上方に突出する側壁１ｂとを連続一体に形成して構成され、主部１ａの下面略中央には丸穴１ｃが開口し、この丸穴１ｃ内に回路基板２が固定された光学基台３及び防虫カバー４を保持した保護カバー５の上端部が挿入され、固定される。
【００１５】
回路基板２の下面には発光ダイオードＬＥＤが実装されている。また回路基板２の下面にはチップ化されたフォトダイオードＰＤが実装されている。また更に、回路基板２の下面にはサーミスタ６が熱感知部を下方に突出させた状態で実装されている。このように本実施形態の火災感知器は感熱素子としてのサーミスタ６を備えており、煙感知機能に加えて熱感知機能を有している。
【００１６】
光学基台３は図８乃至図１０に示すように黒色の合成樹脂により、略円板状の底板７と、底板７の上面に突設された四角枠状の側壁８と、底板７下面の外周部に沿って配置された複数の隔壁９ａからなるラビリンス壁９とを一体に形成して構成される。
【００１７】
ラビリンス壁９を構成する隔壁９ａは反射が生じないように黒色に形成されており、中間部が屈曲した断面略く字状であって、中間部の屈曲部位が突出する方向を隣接する隔壁９ａと同じ向きにし、中間部の屈曲部位が隣接する隔壁９ａの両端部の間に入り込むようにして所定の間隔をおいて配置されている。隣接する隔壁９ａの間にできる煙導入路は、一端が外部と連通して煙導入口となり、他端が煙感知室Ｓに連通しており、煙導入路の中間部を屈曲させることによって、外光が煙感知室Ｓ内に入射しにくくなっている。
【００１８】
光学基台３の底板７と側壁８とで囲まれる凹所１０内には、発光ダイオードＬＥＤ、フォトダイオードＰＤ及びサーミスタ６が実装された面を底板７側にして回路基板２が納装される。光学基台３の底板７には発光ダイオードＬＥＤ及びフォトダイオードＰＤにそれぞれ対応する部位に下方に突出する突台部１９，２０が突設されており、これらの突台部１９，２０には底板７を貫通する貫通孔１１ａ，１１ｂが形成されている。各突台部１９，２０には、貫通孔１１ａ，１１ｂにそれぞれ連続し、光学基台３の中心方向に向かって延びる溝１９ａ，２０ａが形成されており、これらの溝１９ａ，２０ａ内にプリズムレンズ１２，１３が取り付けられる。ここで、プリズムレンズ１２，１３は一方の面を貫通孔１１ａ，１１ｂと対向させ、他方の面を煙感知室Ｓの中心方向に向けた状態で光学基台３に取り付けられ、プリズムレンズ１２，１３の上側及び左右両側が突台部１９，２０によって覆われる。すなわち、プリズムレンズ１２，１３は、図１に示すようにそれぞれの光軸Ｌ１，Ｌ２が煙感知室Ｓの中心方向を向き、且つ所定の角度で交差するように配置されている。
【００１９】
上述のようにプリズムレンズ１２，１３は発光ダイオードＬＥＤの発光面、フォトダイオードＰＤの受光面にそれぞれ対向しており、発光ダイオードＬＥＤの発光はプリズムレンズ１２によって集光されて煙感知室Ｓに照射される。煙感知室Ｓ内に煙が侵入すると、煙の粒子によってプリズムレンズ１２から照射された光が散乱され、プリズムレンズ１３に入射する。プリズムレンズ１３に入射した光は、プリズムレンズ１３によってフォトダイオードＰＤの受光面に集光されるので、フォトダイオードＰＤの出力の増加から煙の侵入を検出することができる。尚、プリズムレンズ１２，１３はそれぞれの光軸Ｌ１，Ｌ２が所定の角度で交差するように配置されているので、プリズムレンズ１２から照射された発光ダイオードＬＥＤの光が直接プリズムレンズ１３に入射することはない。ここに、発光ダイオードＬＥＤとプリズムレンズ１２とで発光部が構成され、フォトダイオードＰＤとプリズムレンズ１３とで受光部が構成される。
【００２０】
ここで、図１及び図２に示すように、受光側のプリズムレンズ１３に対して光軸方向の前方に位置するラビリンス壁９の部位（後述の光トラップ部２５）と、発光側のプリズムレンズ１２との間には、プリズムレンズ１２からの光Ｃを遮光する遮光壁２４が設けられている。遮光壁２４は底板７から一体に立設されており、発光側のプリズムレンズ１２との対向面Ａが、受光側のプリズムレンズ１３が光を受光する受光領域Ｂの外側に位置するように配置されている。遮光壁２４は、光トラップ部２５と発光側のプリズムレンズ１２との間に配置されており、発光側のプリズムレンズ１２から照射された光が光トラップ部２５で反射されて受光側のプリズムレンズ１３に入射するのを低減しているので、ラビリンス壁９で反射された迷光による影響を低減することができる。また、遮光壁２４における発光側のプリズムレンズ１２との対向面Ａは、受光側のプリズムレンズ１３の受光領域Ｂの外側に位置しているので、発光側のプリズムレンズ１２からの光が遮光壁２４に当たってプリズムレンズ１３に入射するのを防止でき、遮光壁２４に発光側のプリズムレンズ１２からの光が当たることによって発生する迷光の影響を低減することができる。
【００２１】
また、発光側のプリズムレンズ１２と受光側のプリズムレンズ１３との間には、プリズムレンズ１２からの光を遮光する柱状の遮光壁２８が設けられており、この遮光壁２８によって発光側のプリズムレンズ１２からの光が受光側のプリズムレンズ１３に直接入射するのを防止している。遮光壁２８は底板７から一体に立設されており、この遮光壁２８には回路基板２に実装されたサーミスタ６を挿通するための挿通孔１１ｃが貫設されている。
【００２２】
ところで、ラビリンス壁９は煙導入路の中間部を屈曲させることによって、外光が煙感知室Ｓ内に入りにくくしているが、図３に示すように、外部から煙導入路に侵入した外光Ｄが隔壁９ａによって反射され、この反射光が隣接する隔壁９ａに再度反射されて煙感知室Ｓ内に侵入する虞があり、この反射光が受光側のプリズムレンズ１３の受光領域Ｂ内に入ると、プリズムレンズ１３に外乱光の一部が入射するため、この外乱光が迷光となって誤動作する虞がある。
【００２３】
そこで、本実施形態では受光側のプリズムレンズ１３に対して光軸方向の前方に位置し、プリズムレンズ１３の受光領域Ｂ内にある２つの隔壁９ａを、中間部の屈曲部位が互いに対向するように配置し、両隔壁９ａの中間部の屈曲部位を連結しており、これら２つの隔壁９ａの間から侵入した外光がプリズムレンズ１３に入射することはなく、外光による誤動作を防止している。また、これら２つの隔壁９ａの屈曲部位を連結することによって、両隔壁９ａの煙感知室Ｓ側の側片により、水平断面が略く字状であって開口部を受光側のプリズムレンズ１３に向けて配置された光トラップ部２５が形成される。この光トラップ部２５は、図４に示すように受光側のプリズムレンズ１３の受光光軸Ｌ２に対して略対称な形状に形成されているので、ラビリンス壁９で反射された光Ｅは光トラップ部２５によりトラップされる。したがって、ラビリンス壁９で反射された光Ｅが、受光側のプリズムレンズ１３の光軸方向の前方に位置するラビリンス壁９（すなわち光トラップ部２５を設けた部位）で反射されて、プリズムレンズ１３に入射することはなく、ラビリンス壁９で反射された光が迷光となって誤動作するのを防止できる。尚、このような構造に形成したのは、両隔壁９ａの外方から光が入射するのを避けられないような構造の防虫網４（すなわち、ラビリンス壁９との相対的な嵌合位置関係が決まっていないような構造の防虫網４）でも対処できるようにするためである。
【００２４】
ところで、光トラップ部２５の形状は断面略く字状になっているので、光トラップ部２５に対して正面から入射した光については確実に光をトラップできるものの、光トラップ部２５に対して斜めから入射した光については一部を外側に反射してしまう虞がある。そこで、本実施形態では光トラップ部２５の一方の側片２５ａに側片２５ａと略直交する方向に突出する突片２６を突設し、さらに他方の側片２５ｂに複数の縦溝２７を突設しており、光トラップ部２５に入射した光は、突片２６又は縦溝２７の端面（反射面）で反射されて反対側の側片２５ｂ又は２５ａに向かって進行するから、光トラップ部に対して斜めに入射した光も確実にトラップでき、光をトラップする効果が向上する。
【００２５】
また、受光側のプリズムレンズ１３に対して光軸方向の前方に位置し、中間部の屈曲部位が互いに連結された２つの隔壁９ａの内、発光部に近い側の隔壁９ａにおける内側の側片２５ａに、他方の隔壁に向かって突出する突片２６を形成することによって、両隔壁９ａの連結部位付近に発光部及び受光部から臨んだ状態で突片２６によって遮蔽される凹所２６ａが形成されるので、この凹所２６ａによって発光部からの光が２つの隔壁９ａの連結部位付近で反射されて発光部又は受光部側に戻るのを抑制し、余計な反射光が発生するのを抑制している。
【００２６】
ところで、フォトダイオードＰＤからの出力電流は微少であり、静電ノイズのような外来ノイズに対して弱いため、このような外来ノイズからフォトダイオードＰＤをシールドする必要がある。そこで、この火災感知器ではフォトダイオードＰＤと対向する光学基台３の部位に、一面が開口した箱状のシールドカバー１４をインサート成形しており、凹所１０内に回路基板２を納装すると、回路基板２に実装されたフォトダイオードＰＤ及び煙検出回路の周りをシールドカバー１４が覆い、フォトダイオードＰＤと煙検出回路とを静電遮蔽するようになっている。なお、シールドカバー１４には回路基板２側に突出するアースピン１４ａが設けられており、このアースピン１４ａは回路基板２に設けたスルーホールに挿通され、回路基板２のグランドライン（図示せず）に半田付けされる。また、シールドカバー１４には、貫通孔１１ｂに連通する連通孔１４ｂが形成されており、この連通孔１４ｂを通ってプリズムレンズ１３で集光された光がフォトダイオードＰＤの受光面に照射される。
【００２７】
また、光学基台３には４本の端子ピン１５がインサート成形されており、各端子ピン１５は回路基板２に設けたスルーホール（図示せず）に挿通され、半田付けされることによって、各端子ピン１５が回路基板２の配線パターンに電気的に接続されるとともに、回路基板２から反対側に突出する各端子ピン１５の先端部が外部接続端子となる。また、光学基台３にインサート成形された端子ピン１５を回路基板２に半田付けすることによって、光学基台３に回路基板２が保持される。
【００２８】
ここで、光学基台３の製造工程を図１１乃至図１５を参照して簡単に説明する。まず、図１１に示すように金属材料により帯板状に形成されたフープ材４０を打ち抜き、さらに図１１中の斜線部分を紙面の奧側に折り曲げて、図１２（ａ）（ｂ）に示すようにシールドカバー１４を箱状に形成するとともに、端子ピン１５をフープ材４０の平面方向と略直交する方向に突出させる。その後、図１３（ａ）（ｂ）に示すようにフープ材４０に底板７及び側壁８からなる基台部分をインサート成形（一次成形）し、図１４（ａ）（ｂ）に示すようにラビリンス壁９を二次成形した後、フレーム部分を切断することにより図１５（ａ）（ｂ）に示すような形状に形成される。尚、フープ材４０に底板７及び側壁８からなる基台部分とラビリンス壁９とを一度にインサート成形するようにしても良いことは言うまでもない。
【００２９】
また、防虫カバー４は、図１６乃至図１９に示すように絶縁性を有する合成樹脂により有底円筒状に形成される。防虫カバー４の底板４ａには光学基台３に設けた挿通孔１１ｃと連通し、回路基板２に実装されたサーミスタ６を挿通するための貫通孔４ｄが形成され、周壁４ｂには複数の孔が格子状に開口するメッシュ部４ｃが形成されている。この防虫カバー４は光学基台３の下端部を筒内に挿入した状態で光学基台３に取り付けられており、ラビリンス壁９の周りをメッシュ部４ｃが形成された周壁４ｂで覆っているので、ラビリンス壁９で囲まれた煙感知室Ｓに虫等の異物が侵入するのを防止できる。また、防虫カバー４の底板４ａには、図５及び図１７に示すように、光学基台３の底板７に設けた突台部１９，２０と対向する部位に上側（光学基台３側）に向かって突出し、突台部１９，２０に設けた溝１９ａ，２０ａと嵌合する蓋部２１，２２が一体に形成されている。尚、図１７では両側にある周壁４ｂを省略して図示してある。
【００３０】
而して、光学基台３に防虫カバー４を被せると、防虫カバー４に設けた蓋部２１，２２が光学基台３に設けた溝１９ａ，２０ａとそれぞれ嵌合し、プリズムレンズ１２の出射面及びプリズムレンズ１３の入射面の周りを突台部１９，２０及び蓋部２１，２２で囲むことにより、光学的に密閉することができるから、外光などの余計な光が入射するなどして誤動作するのを防止できる。また、防虫カバー４の底板４ａには、蓋部２２に対して光軸方向の前方に位置する部位に、光軸方向と略直交する方向に走る溝２３が形成されており、迷光の発生を防止している。
【００３１】
一方、保護カバー５は弾性を有する合成樹脂により有底円筒状に形成されており、周壁５ａの上端部には外側に突出する係合爪１６が突設され、周壁５ａの略下半分には円周方向に沿って延びる帯状の開口１７が複数開口し、底板５ｂからは上方に向かって突出し、先端部が防虫カバー４の底板４ａと当接する複数のリブ１８が突設されている。この火災感知器を組み立てた状態では、サーミスタ６が防虫カバー４の貫通孔４ｄから下方に突出し、サーミスタ６の先端部が防虫カバー４の底板４ａと保護カバー５の底板５ｂとの間に配置される。尚、複数のリブ１８はサーミスタ６を中心として放射状に配置されており、開口５ｃから内部に流入した空気がサーミスタ６の感熱部に当たるよう、空気の流れを整流している。
【００３２】
この火災感知器を組み立てる際は、先ず回路基板２に発光ダイオードＬＥＤやフォトダイオードＰＤやサーミスタ６や煙感知回路の回路部品を実装し、この回路基板２を光学基台３の凹所１０内に挿入して、シールドカバー１４のアースピン１４ａ及び端子ピン１５を回路基板２に半田付けし、回路基板２を光学基台３に固定する。次に、保護カバー５の筒内に防虫カバー４と、回路基板２が取り付けられた光学基台３とを挿入して、防虫カバー４及び光学基台３を保護カバー５に保持させた後、この保護カバー５の上端部をボディ１の丸穴１ｃ内に挿入すると、保護カバー５の上端部に突設した係合爪１６と丸穴１ｃの内周面に形成された係合段部１ｄとが凹凸係合して、保護カバー５がボディ１に結合されるのである。
【００３３】
次に、この火災感知器の回路構成を図２０を参照して説明する。図２０は煙感知回路のブロック図を示しており、煙感知室Ｓにプリズムレンズ１２を介して赤外光を照射する発光ダイオードＬＥＤと、発光ダイオードＬＥＤから照射された赤外光の煙による散乱光をプリズムレンズ１３を介して受光するフォトダイオードＰＤと、投受光回路５０と、マイクロコンピュータ（以下、マイコンと言う）６０と、伝送回路６１とで構成される。
【００３４】
投受光回路５０は、発光ダイオードＬＥＤに流す電流を制御する発光電流制御回路５１と、フォトダイオードＰＤの出力電流を電圧信号に変換するＩ／Ｖ変換回路５２とを備え、Ｉ／Ｖ変換回路５２の出力電圧はゲイン切り替え回路５３によって所定のゲインで増幅され、ゲイン調整回路５４によって電圧レベルが調整され、さらにオフセット調整回路５５によってオフセット電圧が調整された後、マイコン６０に出力される。マイコン６０では投受光回路５０の出力をＡ／Ｄ変換して、予め設定されたしきい値レベルと比較しており、投受光回路５０の出力がしきい値レベルを超えると、煙の濃度が所定の濃度に達したことを示す発報信号を伝送回路６１に出力し、伝送回路６１はこの発報信号を多重伝送信号により図示しない火災受信器へ送信する。また、投受光回路５０は、マイコン６０から入力されるテスト信号に応じて、発光電流制御回路５１の出力を変化させるとともに、ゲイン切り替え回路５３のゲインを選択的に切り替える感度調整回路５６を備えている。また、図２０では図示を省略しているが、マイコン６０にはサーミスタ６の出力が入力されており、サーミスタ６の出力から周囲の温度を監視している。
【００３５】
【発明の効果】
上述のように、請求項１の発明は、外部からの煙の侵入を許容するとともに外光の入射を防止するラビリンス壁によって周りが囲まれた煙感知室と、それぞれの光軸が所定の角度で交差するようにして煙感知室にそれぞれ配置された発光部及び受光部とを備え、上記ラビリンス壁は中間部が屈曲した断面略く字状の複数の隔壁からなり、それぞれの隔壁を、中間部の屈曲部位が隣接する隔壁の両端部の間に入り込むようにして配置するとともに、受光部の光軸方向の前方に位置する２つの隔壁は中間部の屈曲部位を互いに対向させて配置し、両隔壁の屈曲部位を互いに連結して成ることを特徴とし、受光部に対して光軸方向の前方に位置する２つの隔壁は中間部の屈曲部位を互いに対向させて連結しており、２つの隔壁の間の隙間を無くしているので、２つの隔壁の間にできる隙間を通って受光部に外光が入射することはなく、外光による誤動作を防止できるという効果がある。
【００３６】
請求項２の発明は、請求項１の発明において、受光部の光軸方向の前方に位置するラビリンス壁に、断面略く字状であって開口側を受光部に向けて配置され、入射した光が受光部側に出射するのを防止する光トラップ部を設けたことを特徴とし、請求項３の発明の作用に加え、受光部に対して光軸方向の前方に位置するラビリンス壁に光トラップ部を設けていない場合は、受光部の前方にあるラビリンス壁で反射された光が受光部に入射する虞があるが、受光部の前方にあるラビリンス壁に光トラップ部を設けているので、受光部の前方にあるラビリンス壁で反射された光が受光部に入射することはなく、迷光による誤動作をさらに防止できるという効果がある。
【００３７】
請求項３の発明は、請求項１の発明において、上記隔壁は両側片が屈曲部位を介して連結されて成り、上記２つの隔壁の内、発光部に近い側の隔壁における内側の側片に、他方の隔壁に向かって突出する突片を形成し、上記２つの隔壁の連結部位付近に発光部及び受光部から臨んだ状態で上記突片によって遮蔽される凹所を設けたことを特徴とし、請求項３の発明の作用に加え、２つの隔壁の連結部位付近に突片によって遮蔽される凹所を形成しているので、発光部からの光が２つの隔壁の連結部位付近で反射されて、発光部又は受光部側に戻ることはなく、余計な反射光が発生するのを抑制できるという効果がある。
【００３８】
請求項４の発明は、請求項２の発明において、上記光トラップ部の受光部側の面に、入射した光を光トラップ部の奧側へ反射する反射面を複数形成したことを特徴とし、光トラップ部の形状が断面略く字状になっているので、光トラップ部に対して斜めから入射する光については一部を外側に反射してしまう虞もあるが、光トラップ部の受光部側の面に入射した光を光トラップ部の奧側へ反射する反射面を複数形成しているので、光トラップ部に対して斜めに入射した光も確実にトラップでき、光をトラップする効果が向上するという効果がある。
【００３９】
請求項５の発明は、請求項１の発明において、受光部の光軸方向の前方にあるラビリンス壁の部位と発光部との間に遮光壁を設けたことを特徴とし、遮光壁を、受光部の光軸方向の前方あるラビリンス壁の部位と投光部との間に配置しているので、発光部から照射された光がラビリンス壁で反射されて受光部に入射するのを防止でき、受光部に対して光軸方向の前方に位置するラビリンス壁で反射された迷光による影響を無くすことができるという効果がある。
【００４０】
請求項６の発明は、請求項５の発明において、上記遮光壁は、該遮光壁の発光部との対向面が、受光部が光を受光する受光領域の外側に位置するようにして煙感知室に配置されたことを特徴とし、請求項１の発明の作用に加え、遮光壁の発光部との対向面は受光領域の外側に位置しているので、発光部からの光が遮光壁に当たって受光部に入射するのを低減でき、遮光壁に発光部からの光が当たることによって発生する迷光の影響を無くすことができるという効果がある。
【図面の簡単な説明】
【図１】本実施形態の火災感知器の煙感知室における発光部と受光部と遮光壁との位置関係を説明する説明図である。
【図２】同上の煙感知室における発光部と受光部と遮光壁との位置関係を説明する説明図である。
【図３】同上の煙感知室における発光部と受光部と遮光壁との位置関係を説明する説明図である。
【図４】同上の煙感知室における発光部と受光部と遮光壁との位置関係を説明する説明図である。
【図５】同上の断面図である。
【図６】同上の分解斜視図である。
【図７】同上を組み立てる前の状態の断面図である。
【図８】同上の光学基台を示し、（ａ）は平面図、（ｂ）はＡ−Ａ’断面図である。
【図９】同上の光学基台の裏面図である。
【図１０】同上の光学基台を示し、図８のＣ部拡大図である。
【図１１】同上の光学基台の製造工程を説明する説明図である。
【図１２】（ａ）（ｂ）は同上の光学基台の別の製造工程を説明する説明図である。
【図１３】（ａ）（ｂ）は同上の光学基台のまた別の製造工程を説明する説明図である。
【図１４】（ａ）（ｂ）は同上の光学基台の更に別の製造工程を説明する説明図である。
【図１５】（ａ）（ｂ）は同上の光学基台のまた更に別の製造工程を説明する説明図である。
【図１６】同上の防虫カバーを示し、（ａ）は上面図、（ｂ）は側断面図である。
【図１７】同上の防虫カバーを示し、図１６（ａ）のＡ−Ａ’断面図である。
【図１８】同上の防虫カバーを示し、図１６（ａ）のＣ−Ｃ’断面図である。
【図１９】同上の防虫カバーを示し、図１８のＢ−Ｂ’断面図である。
【図２０】同上の回路ブロック図である。
【図２１】従来の火災感知器の煙感知室における発光部と受光部と遮光壁との位置関係を説明する説明図である。
【符号の説明】
９  ラビリンス壁
１２，１３  プリズムレンズ
２４  遮光壁
Ｓ  煙感知室
Ｌ１，Ｌ２  光軸
【図１】
0003979032.tif 000002
【図２】
0003979032.tif 000003
【図３】
0003979032.tif 000004
【図４】
0003979032.tif 000005
【図５】
0003979032.tif 000006
【図６】
0003979032.tif 000007
【図７】
0003979032.tif 000008
【図８】
0003979032.tif 000009
【図９】
0003979032.tif 000010
【図１０】
0003979032.tif 000011
【図１１】
0003979032.tif 000012
【図１２】
0003979032.tif 000013
【図１３】
0003979032.tif 000014
【図１４】
0003979032.tif 000015
【図１５】
0003979032.tif 000016
【図１６】
0003979032.tif 000017
【図１７】
0003979032.tif 000018
【図１８】
0003979032.tif 000019
【図１９】
0003979032.tif 000020
【図２０】
0003979032.tif 000021
【図２１】
0003979032.tif 000022